(57)【要約】【課題】レーザ光を光源とするプロジェクタを含む画像表示装置において、光源に対する光の強度の適切な制御を実現する。【解決手段】プロジェクタシステム１では、プロジェクタ５０は、スクリーン１１に投影される映像を投射する。なお、プロジェクタ５０は、ホルダ１２に支持されてスクリーン本体１０の内部で映像を投射するような状態にある場合と、スクリーン本体１０の外部で映像を投射する場合とでは、前者の場合が後者の場合よりも光の強度が高くなるように、投射する光の強度を制御される。【選択図】図１
2009217132.tif 000002
【特許請求の範囲】
【請求項１】
レーザ光の映像を投射するプロジェクタと、
前記プロジェクタが投射する映像を投影するためのスクリーンと、
前記スクリーンを支持する筐体と、
前記プロジェクタが前記筐体の内部で映像を投射するように前記筐体に装着されているか否かを検出する検出手段と、
前記プロジェクタが投射する映像の光の強度を制御する制御手段とを備え、
前記プロジェクタは、前記筐体に対して着脱可能に構成され、
前記制御手段は、前記検出手段の検出出力が前記筐体に前記プロジェクタが装着されている状態に対応するものであるときには、前記検出手段の検出出力が前記筐体に前記プロジェクタが装着されていない状態に対応するものであるときよりも、前記プロジェクタが投射する映像の光の強度を高くする、画像表示装置。
【請求項２】
前記プロジェクタは、第１の電気的接点を含み、
前記筐体は、第２の電気的接点を含み、
前記検出手段は、前記第１の電気的接点と前記第２の電気的接点が接続されたか否かに基づいて、前記プロジェクタが前記筐体に装着されているか否かを検出する、請求項１に記載の画像表示装置。
【請求項３】
前記プロジェクタまたは前記筐体のいずれか一方は、所定の情報が記録された非接触ＩＣ（Integrated Circuit）カードを含み、
前記プロジェクタまたは前記筐体のいずれか他方は、前記プロジェクタが前記筐体に装着された状態にあるときに前記非接触ＩＣカードの存在を検出し、検出した前記非接触ＩＣカードから、非接触通信によって前記所定の情報を読み出す非接触通信手段を含み、
前記検出手段は、前記非接触通信手段が前記所定の情報を読み出したか否かに基づいて、前記プロジェクタが前記筐体に装着されているか否かを検出する、請求項１に記載の画像表示装置。
【請求項４】
前記プロジェクタまたは前記筐体のいずれか一方は、作動片および前記作動片に対する外部からの押圧の有無に基づいてオン／オフ状態を切換えられる回路を含み、
前記プロジェクタまたは前記筐体のいずれか他方は、前記プロジェクタが前記筐体に装着された状態にあるときに前記作動片を押圧する部材を含み、
前記検出手段は、前記回路のオン／オフ状態に基づいて、前記プロジェクタが前記筐体に装着されているか否かを検出する、請求項１に記載の画像表示装置。
【請求項５】
前記プロジェクタまたは前記筐体のいずれか一方は、投光手段を含み、
前記プロジェクタまたは前記筐体のいずれか他方は、前記プロジェクタが前記筐体に装着された状態にあるときに前記投光手段が投光する光を受光する受光手段を含み、
前記検出手段は、前記受光手段における前記投光手段からの光の受光の有無に基づいて、前記プロジェクタが前記筐体に装着されているか否かを検出する、請求項１に記載の画像表示装置。
【請求項６】
前記筐体は、前記プロジェクタが前記筐体に装着された状態にあるときに、外部電源から前記プロジェクタに電力を供給する電力制御手段を含む、請求項１〜請求項５のいずれかに記載の画像表示装置。
【請求項７】
前記プロジェクタは、バッテリと、前記バッテリと前記電力制御手段とを接続するための端子と、前記端子と前記電力制御手段が接続された場合に前記電力制御手段から供給される電力によって前記バッテリを充電する充電制御手段とを含む、請求項６に記載の画像表示装置。
【請求項８】
前記検出手段は、前記端子が前記電力制御手段に接続されているか否かに基づいて、前記プロジェクタが前記筐体に装着されているか否かを検出する、請求項６または請求項７に記載の画像表示装置。
【請求項９】
前記検出手段は、前記プロジェクタが前記電力制御手段から電力を供給されているか否かに基づいて、前記プロジェクタが前記筐体に装着されているか否かを検出する、請求項６に記載の画像表示装置。
【請求項１０】
前記制御手段は、前記検出手段の検出手段に基づいて、前記プロジェクタが投射する映像を表裏反転させるか否かを決定する、請求項１〜請求項９のいずれかに記載の画像表示装置。
【請求項１１】
前記制御手段は、前記プロジェクタによる映像の投影動作を制御し、
前記筐体は、前記プロジェクタを操作するための操作手段と、前記プロジェクタが前記筐体に装着された状態で前記操作手段と前記制御手段とを接続させる接続手段とを含む、請求項１〜請求項１０のいずれかに記載の画像表示装置。
【発明の詳細な説明】
【技術分野】
【０００１】
本発明は、画像表示装置に関し、特に、筐体に取付けられたスクリーンにプロジェクタが投射する映像を投影し、そして、当該プロジェクタが筐体に対して着脱可能に構成されている、画像表示装置に関する。
【背景技術】
【０００２】
従来から、プロジェクタから投射された映像のスクリーンにおける表示に関しては、種々の技術が開示されている。
【０００３】
特に、特許文献１（特開２００５−２８３８３３号公報）には、投影ユニット（プロジェクタ）をスクリーンが設けられた筐体の中に設置しながら、当該投影ユニットが投射する映像をスクリーンに表示させることができ、かつ、リサイクル性を考慮して、投影ユニットを上記筐体に対して着脱可能に構成する技術が開示されている。
【０００４】
また、特許文献２（特開平７−２３００７０号公報）には、投影ユニットが着脱可能なシステムにおいて、着脱の作業を円滑にするための部材に関する技術が開示されている。
【０００５】
また、特許文献３（特開平６−１３８４３１号公報）には、投影ユニットが着脱可能なシステムにおいて、投影ユニットが、スクリーンを設けられた筐体に装着されている状態と、装着されていない状態とでは、当該投影ユニットから出力される映像を左右反転させる技術が開示されている。
【０００６】
また、特許文献４（特開平１０−３３３２４６号公報）には、投影ユニットが着脱可能なシステムにおいて、ユーザによるリモコン操作を可能とするための技術が開示されている。
【特許文献１】特開２００５−２８３８３３号公報
【特許文献２】特開平７−２３００７０号公報
【特許文献３】特開平６−１３８４３１号公報
【特許文献４】特開平１０−３３３２４６号公報
【発明の開示】
【発明が解決しようとする課題】
【０００７】
上記したように、映像を投射するプロジェクタが着脱可能なシステムに関し、種々の技術が開示されている。また、近年、色再現範囲を広くする等の観点から、上記のようなシステムにおいて、プロジェクタの光源としてレーザ光が利用されている。
【０００８】
このことから、レーザ光を利用したことによる問題への対策が必要とされている。具体的には、たとえば、筐体から取外しても利用可能なプロジェクタに対して、当該プロジェクタから出力される光の強度に関し、安全性等の観点からどのような制御を行なえば良いのかについての検討が必要とされていた。
【０００９】
本発明は、かかる実情に鑑み考え出されたものであり、その目的は、レーザ光を光源とするプロジェクタを含む画像表示装置において、光源に対する光の強度についての適切な制御を実現することである。
【課題を解決するための手段】
【００１０】
本発明に従った画像表示装置は、レーザ光の映像を投射するプロジェクタと、前記プロジェクタが投射する映像を投影するためのスクリーンと、前記スクリーンを支持する筐体と、前記プロジェクタが前記筐体の内部で映像を投射するように前記筐体に装着されているか否かを検出する検出手段と、前記プロジェクタが投射する映像の光の強度を制御する制御手段とを備え、前記プロジェクタは、前記筐体に対して着脱可能に構成され、前記制御手段は、前記検出手段の検出出力が前記筐体に前記プロジェクタが装着されている状態に対応するものであるときには、前記検出手段の検出出力が前記筐体に前記プロジェクタが装着されていない状態に対応するものであるときよりも、前記プロジェクタが投射する映像の光の強度を高くすることを特徴とする。
【００１１】
また、本発明の画像表示装置では、前記プロジェクタは、第１の電気的接点を含み、前記筐体は、第２の電気的接点を含み、前記検出手段は、前記第１の電気的接点と前記第２の電気的接点が接続されたか否かに基づいて、前記プロジェクタが前記筐体に装着されているか否かを検出することが好ましい。
【００１２】
また、本発明の画像表示装置では、前記プロジェクタまたは前記筐体のいずれか一方は、所定の情報が記録された非接触ＩＣ（Integrated Circuit）カードを含み、前記プロジェクタまたは前記筐体のいずれか他方は、前記プロジェクタが前記筐体に装着された状態にあるときに前記非接触ＩＣカードの存在を検出し、検出した前記非接触ＩＣカードから、非接触通信によって前記所定の情報を読み出す非接触通信手段を含み、前記検出手段は、前記非接触通信手段が前記所定の情報を読み出したか否かに基づいて、前記プロジェクタが前記筐体に装着されているか否かを検出することが好ましい。
【００１３】
また、本発明の画像表示装置では、前記プロジェクタまたは前記筐体のいずれか一方は、作動片および前記作動片に対する外部からの押圧の有無に基づいてオン／オフ状態を切換えられる回路を含み、前記プロジェクタまたは前記筐体のいずれか他方は、前記プロジェクタが前記筐体に装着された状態にあるときに前記作動片を押圧する部材を含み、前記検出手段は、前記回路のオン／オフ状態に基づいて、前記プロジェクタが前記筐体に装着されているか否かを検出することが好ましい。
【００１４】
また、本発明の画像表示装置では、前記プロジェクタまたは前記筐体のいずれか一方は、投光手段を含み、前記プロジェクタまたは前記筐体のいずれか他方は、前記プロジェクタが前記筐体に装着された状態にあるときに前記投光手段が投光する光を受光する受光手段を含み、前記検出手段は、前記受光手段における前記投光手段からの光の受光の有無に基づいて、前記プロジェクタが前記筐体に装着されているか否かを検出する
また、本発明の画像表示装置では、前記筐体は、前記プロジェクタが前記筐体に装着された状態にあるときに、外部電源から前記プロジェクタに電力を供給する電力制御手段を含むことが好ましい。
【００１５】
また、本発明の画像表示装置では、前記プロジェクタは、バッテリと、前記バッテリと前記電力制御手段とを接続するための端子と、前記端子と前記電力制御手段が接続された場合に前記電力制御手段から供給される電力によって前記バッテリを充電する充電制御手段とを含むことが好ましい。
【００１６】
また、本発明の画像表示装置では、前記検出手段は、前記端子が前記電力制御手段に接続されているか否かに基づいて、前記プロジェクタが前記筐体に装着されているか否かを検出することが好ましい。
【００１７】
また、本発明の画像表示装置では、前記検出手段は、前記プロジェクタが前記電力制御手段から電力を供給されているか否かに基づいて、前記プロジェクタが前記筐体に装着されているか否かを検出することが好ましい。
【００１８】
また、本発明の画像表示装置では、前記制御手段は、前記検出手段の検出手段に基づいて、前記プロジェクタが投射する映像を表裏反転させるか否かを決定することが好ましい。
【００１９】
また、本発明の画像表示装置では、前記制御手段は、前記プロジェクタによる映像の投影動作を制御し、前記筐体は、前記プロジェクタを操作するための操作手段と、前記プロジェクタが前記筐体に装着された状態で前記操作手段と前記制御手段とを接続させる接続手段とを含むことが好ましい。
【発明の効果】
【００２０】
本発明によれば、制御手段の働きにより、検出手段の検出出力が筐体の内部で映像を投影するようにプロジェクタが当該筐体に装着されている状態に対応するものであるときには、当該検出出力が当該筐体にプロジェクタが装着されていない状態に対応するものであるときよりも、プロジェクタが投射する映像の光の強度が高くなるように制御される。
【００２１】
これにより、プロジェクタに映像を出力させたまま、当該プロジェクタが筐体の内部に装着された状態と外部へと取外された状態との間で状態を変化させられても、プロジェクタが出力する映像の光の強度は、ユーザによって特に操作がなされなくても、筐体の外部で出力する光の強度が抑えられるように制御される。
【００２２】
したがって、プロジェクタが出力する映像の光の強度を、当該プロジェクタが筐体の内部に装着された場合には視聴者が十分なコントラストを感じられる程度のものとすることができるとともに、当該プロジェクタが筐体の外部に取外された場合には確実に安全性が確保されたものとすることができる。つまり、筐体に対して着脱可能に構成されたプロジェクタに関し、当該プロジェクタの光源に対する光の強度についての適切な制御を実現できる。
【発明を実施するための最良の形態】
【００２３】
以下、図面を参照しつつ、本発明の画像表示装置の実施の形態であるプロジェクタシステムについて説明する。なお、以下の説明では、同一の部品は、各図に亘って同一の符号を付されその名称および機能を共通のものとする。したがって、それらについての詳細な説明は繰返さない。
【００２４】
［第１の実施の形態］
図１は、本発明の画像表示装置の第１の実施の形態であるプロジェクタシステム１の側面断面図である。プロジェクタシステム１は、主にスクリーン本体１０とプロジェクタ５０から構成される。プロジェクタ５０は、スクリーン本体１０に対して着脱可能に構成されている。
【００２５】
スクリーン本体１０の一面には、スクリーン１１が設置されている。また、スクリーン本体１０はその外郭構造をほぼ筐体として構成されているが、その内部には、第１ミラー１１Ａと第２ミラー１１Ｂとを含む。また、スクリーン本体１０の内部には、ホルダ１２が設けられている。プロジェクタ５０は、図１に示されるようにホルダ１２に装着されることにより、スクリーン本体１０の内部でスクリーン１１に向けて映像を投射するように、スクリーン本体１０に装着される。
【００２６】
図１中の一点鎖線は、プロジェクタ５０が投射した映像の光路を示している。プロジェクタ５０から投射された映像は、まず第１ミラー１１Ａに投影され、当該第１ミラー１１Ａで反射されて第２ミラー１１Ｂに投影され、さらに第２ミラー１１Ｂで反射されて、スクリーン１１に投影される。プロジェクタ５０が図１に示されるようにスクリーン本体１０の内部で映像を投射するように、スクリーン本体１０に装着されることにより、スクリーン１１は、いわゆるリア型スクリーンとして機能する。
【００２７】
スクリーン本体１０には、スクリーン１１の下方にスクリーン側操作部１６が設けられている。プロジェクタ５０は、ホルダ１２に装着されることにより、スクリーン側操作部１６とも導通状態となり、スクリーン側操作部１６に対する操作に応じて映像出力等の動作を実行できるように構成されている。なお、プロジェクタ５０においても、当該プロジェクタ５０を操作するための操作部（後述するプロジェクタ側操作部５６）も備えられている。
【００２８】
図２は、プロジェクタ５０が、図１に示されたようにスクリーン本体１０に装着されている状態における、プロジェクタシステム１の構成を示すブロック図である。
【００２９】
図２を参照して、プロジェクタ５０は、当該プロジェクタ５０の動作を全体的に制御する動作制御部５１を備えている。また、プロジェクタ５０は、映像生成部５２、記録部５３、電源制御部５４、内部バッテリ５５、プロジェクタ側操作部５６、およびプロジェクタ側素子５７を備えている。
【００３０】
記録部５３は、たとえばハードディスクから構成され、映像データ等の種々の情報を記録している。動作制御部５１は、プロジェクタ側操作部５６に対するユーザの操作に従って、記録部５３に記録された映像を映像生成部５２に投射させる。映像生成部５２は、レーザ光源を備えており、スクリーン１１に向けてレーザ光からなる映像を投射する。
【００３１】
プロジェクタ側操作部５６は、プロジェクタ５０の本体に設けられたボタン等の操作用の部材から構成されてもよいし、リモートコントローラと当該リモートコントローラから送信される信号を受信する受信部とによって構成されてもよい。この場合、ユーザは、当該リモートコントローラを操作することにより、プロジェクタ５０から離れた場所で、動作制御部５１に対してプロジェクタ５０の動作を制御するための情報を入力することができる。
【００３２】
電源制御部５４は、プロジェクタ５０を構成する要素に対する電力の供給を制御する。電源制御部５４は、内部バッテリ５５に蓄えられた電力をプロジェクタ５０の各構成要素に提供することができる。
【００３３】
スクリーン本体１０には、上記したスクリーン側操作部１６の他に、スクリーンユニット給電部１５およびスクリーン側素子１７を備えている。
【００３４】
スクリーンユニット給電部１５は、外部電源１００に接続されている。プロジェクタ５０の電源制御部５４は、当該プロジェクタ５０に設けられたコネクタ５４Ａがスクリーンユニット給電部１５に接続されることにより、スクリーンユニット給電部１５に接続される。これにより、電源制御部５４は、外部電源１００と、コネクタ５４Ａおよびスクリーンユニット給電部１５を介して、外部電源１００と接続される。このような状態においては、電源制御部５４は、プロジェクタ５０の各構成要素に対して、内部バッテリ５５からではなく、外部電源１００から供給される電力を、供給することができる。また、電源制御部５４は、この状態において、外部電源１００から供給される電力によって、内部バッテリ５５の充電を行なうことができる。
【００３５】
動作制御部５１は、プロジェクタ５０に設けられたコネクタ５１Ａを介して、スクリーン側操作部１６と接続されている。これにより、スクリーン側操作部１６から動作制御部５１に対して情報を入力することができる。したがって、図１に示されるようにプロジェクタ５０がスクリーン本体１０に装着されている状態では、動作制御部５１は、スクリーン側操作部１６に対してなされた操作に応じて、プロジェクタ５０の動作を制御することができる。
【００３６】
スクリーン側素子１７は、プロジェクタ側素子５７と接続するための電気的接点を有している。また、プロジェクタ側素子５７も、スクリーン側素子１７と接続するための電気的接点を有している。図１に示されたように、プロジェクタ５０がスクリーン本体１０に装着されることにより、プロジェクタ側素子５７とスクリーン側素子１７の電気的接点が互いに接続される。
【００３７】
プロジェクタ側素子５７は、たとえば、スクリーン側素子１７との接続の有無により回路の開閉状態が変化するような素子からなる。そして、この場合、動作制御部５１は、プロジェクタ側素子５７の当該回路の開閉状態を電気的に検出することにより、プロジェクタ５０がスクリーン本体１０に装着されている状態であるか否かを判断する。プロジェクタ側素子５７は、たとえばプロジェクタ５０における、ホルダ１２と接する部分（図１参照）に上記したスクリーン側素子１７と接続するための電気的接点を有している。また、スクリーン側素子１７は、ホルダ１２の、プロジェクタ５０と接する部分（図１参照）に、プロジェクタ側素子５７と接続するための電気的接点を有している。ホルダ１２は、これらの電気的接点が接続された状態でプロジェクタ５０が安定するように、プロジェクタ５０を支持する形状を有している。そして、プロジェクタ５０は、当該状態で、図１に示されるように、スクリーン本体１０の内部に、映像生成部５２からレンズ（図示略）を介して映像を投射する。
【００３８】
本実施の形態では、スクリーン側操作部１６により、筐体に設けられた、プロジェクタを操作するための操作手段が構成されている。また、ホルダ１２に設けられた、コネクタ５１Ａと接続する電気的接点（コネクタ）により、プロジェクタが筐体に装着された状態で操作手段とプロジェクタの制御手段とを接続させる接続手段が構成されている。
【００３９】
また、本実施の形態では、プロジェクタ５０には上記したコネクタ５１Ａおよびコネクタ５４Ａが設けられ、そして、ホルダ１２には、プロジェクタ５０が図１に示されたように装着されたときにコネクタ５１Ａおよびコネクタ５４Ａとそれぞれ電気的に接続するような位置に、端子が設けられている。
【００４０】
図３は、プロジェクタ５０がスクリーン本体１０から取外された状態で投射した映像がスクリーン１１に表示される状態を模式的に示す図である。
【００４１】
図３に示されたように、プロジェクタ５０は、上記したレンズを介して投射される映像がスクリーン１１に投影されるように適宜設置されることによって、スクリーン本体１０から取外された状態でも映像を投射できる。
【００４２】
本実施の形態のプロジェクタシステム１では、プロジェクタ５０が、図１に示されたようにスクリーン本体１０の内部で映像を投射するような状態にある場合と、図３に示されたようにスクリーン本体１０の外部で映像を投射する場合の、両場合の間で、プロジェクタ５０から投影される映像の光の強度を変更することができる。以下、映像生成部５２に、光の強度を調整させながらスクリーン１１へ向けて映像を投射させる、動作制御部５１が実行する処理（画像出力処理）の内容について、当該処理のフローチャートである図４を参照して説明する。
【００４３】
図４を参照して、画像出力処理では、動作制御部５１は、まずステップＳ１０で、プロジェクタ側操作部５６に対して、映像の出力を指示する操作がなされたか否かを判断し、当該操作がなされたと判断すると、ステップＳ２０へ処理を進める。
【００４４】
なお、プロジェクタ５０が図１に示されたようにスクリーン本体１０に装着されていることにより動作制御部５１とスクリーン側操作部１６とがコネクタ５１Ａを介して接続されているときには、上記のような操作がスクリーン側操作部１６に対してなされた場合でも、動作制御部５１は、ステップＳ１０からステップＳ２０へ処理を進める。
【００４５】
ステップＳ２０では、動作制御部５１は、プロジェクタ側素子５７とスクリーン側素子１７との接続状態をチェックする。具体的には、たとえばプロジェクタ側素子５７が上記のようにスクリーン側素子１７との接続の有無に応じて開閉が切換えられるような回路から構成されている場合には、当該回路の開閉を電気的に検出することにより、上記両素子の接続状態をチェックする。
【００４６】
次に、動作制御部５１は、ステップＳ３０で、直前で実行したステップＳ２０におけるプロジェクタ側素子５７とスクリーン側素子１７との接続状態に基づいて、映像生成部５２に出力させる光の強度を調整して、ステップＳ４０へ処理を進める。
【００４７】
なお、本実施の形態のプロジェクタシステム１では、動作制御部５１は、少なくとも２段階で映像生成部５２が動作するレーザ光の強度を制御することができる。
【００４８】
この２段階の強度の中の低い方の強度は、プロジェクタ５０が、図３に示されたようにスクリーン本体１０から取外されて当該スクリーン本体１０の外部に映像を投射したような場合であっても許容される光の強度である。
【００４９】
一方、高い方の強度は、図１に示されたように、プロジェクタ５０がホルダ１２に装着されて、当該プロジェクタ５０が投射する映像がスクリーン１１まで到達する間にスクリーン本体１０の外部へは出力されない場合を想定した、光の強度である。具体的には、高い方の強度は、明るい室内でプロジェクタシステム１のスクリーン１１に投影された映像が視聴される場合でも十分な輝度でスクリーン１１に映像を投影することができるような光の強度とすることができる。
【００５０】
そして、ステップＳ３０では、動作制御部５１は、プロジェクタ側素子５７とスクリーン側素子１７とが電気的に接続されていると判断すると、映像生成部５２が投射する光の強度を上記の高い方の強度とし、両素子が接続されていないと判断すると、映像生成部５２に投射させる光の強度を上記の低い方の強度とする。
【００５１】
ステップＳ４０では、動作制御部５１は、プロジェクタ側素子５７とスクリーン側素子１７の接続状態に変化があったか否かを判断し、変化があったと判断するとステップＳ２０へ処理を戻し、ないと判断するとステップＳ５０へ処理を進める。
【００５２】
なお、動作制御部５１は、図４に示した映像出力処理に対するバックグラウンドの処理として、ステップＳ１０〜ステップＳ５０の処理を実行している期間中、常にプロジェクタ側素子５７とスクリーン側素子１７の接続状態（接続しているか否か）をチェックしている。そして、両素子の接続状態が切換わったと判断すると、ステップＳ４０からステップＳ２０へ処理を戻す。
【００５３】
一方、ステップＳ５０では、動作制御部５１は、プロジェクタ側操作部５６（または、スクリーン側操作部１６）に対して映像の出力の終了を指示する操作がなされたか否かを判断し、そのような操作がなされていないと判断するとステップＳ４０へ処理を戻し、なされたと判断すると、映像生成部５２による映像の投射を終了させて、映像出力処理を終了させる。
【００５４】
以上説明した本実施の形態では、プロジェクタ５０により、レーザ光の映像を投射するプロジェクタが構成されている。また、スクリーン本体１０により、スクリーンを支持する筐体が構成されている。そして、プロジェクタ側素子５７とスクリーン側素子１７と動作制御部５１とによって、プロジェクタが筐体の内部で映像を投射するように筐体に装着されているか否かを検出する検出手段が構成されている。
【００５５】
そして、本実施の形態では、ステップＳ３０において、プロジェクタ側素子５７とスクリーン側素子１７とが電気的に接続されていると判断されると、両素子が接続されていないと判断された場合よりも、映像生成部５２が投射する光の強度が高くなるように映像生成部５２が制御される。なお、図１に示されるようにプロジェクタ５０がスクリーン本体１０に装着されている場合には、プロジェクタ側素子５７とスクリーン側素子１７とは電気的に接続されることが可能であり、装着されていない場合には、両素子は接続されなくなる。したがって、本実施の形態では、検出手段の検出出力がスクリーンを支持する筐体にプロジェクタが装着されている状態に対応するものであるときには、検出手段の検出出力が筐体に前記プロジェクタが装着されていない状態に対応するものであるときよりも、プロジェクタが投射する映像の光の強度を高くなるように、プロジェクタによって投射される映像の光の強度が制御されることになる。
【００５６】
つまり、本実施の形態では、プロジェクタ５０がスクリーン本体１０に装着されていない場合には、装着されている場合よりも、プロジェクタ５０の投射する光の強度が低下する。なお、装着されていない場合とは、必ずしも図３に示されたような状態を意味するのではなく、プロジェクタ５０が図１に示されたようなスクリーン本体１０への装着（ホルダ１２への装着）を解除された状態を意味する。これにより、プロジェクタ５０が光を投射したままの状態でスクリーン本体１０への装着が解除された場合、つまり、スクリーン本体１０によって構成される筐体の外部に光を投射する場合には、確実に、投射する光の強度が低下するように制御される。
【００５７】
なお、検出手段は、上記した本実施の形態のような電気的接点の接続の有無を検出する以外に、たとえばＩＣ（Integrated Circuit）タグなど非接触通信を利用して検出されてもよいし、機械的スイッチの検出出力によって検出されてもよいし、または、光学的信号に基づいて検出されてもよい。
【００５８】
つまり、たとえば、プロジェクタ５０にＩＣカードを備えさせ、スクリーン本体１０側に、プロジェクタ５０がホルダ１２に装着されたときに上記のようにプロジェクタ５０に設けられた非接触ＩＣカードの存在を検出し、検出した非接触ＩＣカードから非接触通信によって当該非接触ＩＣカードに記録されたプロジェクタ５０を同定する情報を読出す回路が備えられ、動作制御部５１は当該回路と、ホルダ１２に設けられたコネクタとを介して当該回路と接続されることにより、当該回路がプロジェクタ５０に設けられた非接触ＩＣカードに記録されたプロジェクタ５０のＩＤを受信することによって送信する情報を受信することにより、図４を参照して説明した映像出力処理においてプロジェクタ側素子５７とスクリーン側素子１７とが接続されていると判断されたときと同様に、映像生成部５２が投射する映像の光の強度が高い方に制御されるようにすることができる。
【００５９】
なお、このような場合には、当該非接触通信に用いられる回路は、図３に示されたようにプロジェクタ５０がスクリーン本体１０の外側に配置された際には上記ＩＣカードを検出しないように構成される必要がある。
【００６０】
また、図２に示したプロジェクタ側素子５７とスクリーン側素子１７の代わりに、作動片が押圧されている状態と押圧を解除された状態とで開閉状態が切換えられる回路と、当該回路の開閉状態を切換える作動片とがプロジェクタ５０に備えられ、ホルダ１２には、プロジェクタ５０が図１に示されたように映像生成部５２が投射する光がスクリーン本体１０の内部でのみ投射されるような場合に、上記作動片を押圧する部材が、ホルダ１２に搭載されている。
【００６１】
このような場合、プロジェクタ５０が図１に示されたようにホルダ１２に装着されると上記作動片はホルダ１２に設けられた突起部によって押圧され、一方、図３に示されたようにプロジェクタ５０が図３に示されたようにスクリーン本体１０から取外されている場合には、上記のような突起部によるプロジェクタ５０の作動片の押圧はなされない。これにより、上記した回路の開閉状態を、プロジェクタ５０が図１に示された状態にあるか図３に示された状態にあるかによって変更することができる。そして、動作制御部５１は、図４を参照して説明した製造出力処理において、プロジェクタ側素子５７とスクリーン側素子との接続の有無に応じて映像生成部５２が投射する映像の光の強度を制御したのに対し、上記したような作動片の押圧の有無による回路の開閉状態を動作制御部５１が検出し、当該検出結果に基づいて映像生成部５２が出力する映像の光の強度を制御するようにしてもよい。
【００６２】
また、プロジェクタ側素子の代わりに受光素子と当該受光素子が受光の有無を検出できる光を投光する投光素子のいずれか一方を備えさせ、スクリーン本体１０にいずれか他方を備えさせ、上記投光素子からの光が、図１に示したようなホルダ１２にプロジェクタ５０が装着されている状態でのみ、上記受光素子が上記投光素子の投光する光を受光するように構成され、そして、動作制御部５１は、当該受光素子の受光の有無によって、映像生成部５２に投射させる映像の光の強度を制御するように構成されてもよい。
【００６３】
［第２の実施の形態］
本発明の画像表示装置の第２の実施の形態に係るプロジェクタシステムは、その外形および構成を、図１〜図３を参照して説明した第１の実施の形態のプロジェクタシステム１と同様のものとすることができるため、ここでは詳細な説明は繰返さない。
【００６４】
本実施の形態のプロジェクタシステム１では、プロジェクタ５０が、図１に示されたようにスクリーン本体１０に装着された状態と図３に示されたようにスクリーン本体１０の外部で取外された状態との間で状態が変更されると、映像生成部５２に投射させる光の強度が変更されるとともに、プロジェクタ５０を構成する各要素への電力の供給源を内部バッテリ５５と外部電源１００との間で切換え、さらに、内部バッテリ５５への充電のオン／オフを切換える。このことを、図５を参照して説明する。図５は、本実施の形態の動作制御部５１が実行する映像出力処理のフローチャートである。
【００６５】
図５を参照して、動作制御部５１は、まずステップＳ１０で、プロジェクタ側操作部５６（またはスクリーン側操作部１６）に対して映像の出力を指示する操作がなされたか否かを判断し、当該操作がなされたと判断するとステップＳ２０へ処理を進める。
【００６６】
ステップＳ２０では、動作制御部５１は、プロジェクタ側素子５７とスクリーン側素子１７との接続状態をチェックして、ステップＳ３０へ処理を進める。
【００６７】
ステップＳ３０では、動作制御部５１は、直前で実行したステップＳ２０において検出した両素子の接続状態に基づいて、映像生成部５２が投射する光の強度を調整して、ステップＳ３１へ処理を進める。なお、動作制御部５１は、ステップＳ３０において、第１の実施の形態と同様に、プロジェクタ側素子５７とスクリーン側素子１７とが電気的に接続されていると判断すると、映像生成部５２が投射する光の強度を上記の高い方の強度とし、両素子が接続されていないと判断すると、映像生成部５２に投射させる光の強度を上記の低い方の強度とする。
【００６８】
ステップＳ３１では、動作制御部５１は、ステップＳ２０で検出した両素子の接続状態に応じて、プロジェクタ５０の構成要素に対する電力の供給源を内部バッテリ５５と外部電源１００との間で切換えて、ステップＳ３２へ処理を進める。
【００６９】
なお、動作制御部５１は、プロジェクタ側素子５７とスクリーン側素子１７とが、ステップＳ２０において、電気的に接続されていることを検出すると、電力の供給源として外部電源１００を選択する。具体的には、電源制御部５４に対して、外部電源１００から電力を供給させるように制御する。一方、ステップＳ２０においてプロジェクタ側素子５７とスクリーン側素子１７とが電気的に接続されていないと検出した場合には、動作制御部５１は、電源制御部５４に対して、内部バッテリ５５から電力を供給させるように制御する。
【００７０】
ステップＳ３２では、動作制御部５１は、ステップＳ２０における両素子の接続状態の検出結果に基づいて、内部バッテリ５５の充電処理のオン／オフを切換えて、ステップＳ４０へ処理を進める。
【００７１】
具体的には、動作制御部５１は、ステップＳ２０で、プロジェクタ側素子５７とスクリーン側素子１７とが電気的に接続されていることを検出した場合には、電源制御部５４に、外部電源１００から供給される電力で内部バッテリ５５の充電処理を実行させ（充電処理オン）、一方、ステップＳ２０で両素子が接続されていないことを検出すると、電源制御部５４に対し、内部バッテリ５５の充電処理を停止させる（充電処理オフ）。
【００７２】
ステップＳ４０では、動作制御部５１は、プロジェクタ側素子５７とスクリーン側素子１７の接続状態に変化があったか否かを判断し、変化があったと判断するとステップＳ２０へ処理を戻し、ないと判断するとステップＳ５０へ処理を進める。なお、本実施の形態においても、動作制御部５１は、バックグラウンドの処理として、常にプロジェクタ側素子５７とスクリーン側素子１７が接続しているか否かをチェックし、両素子の接続状態が切換わったと判断すると、ステップＳ４０からステップＳ２０へ処理を戻す。
【００７３】
一方、ステップＳ５０では、動作制御部５１は、プロジェクタ側操作部５６（または、スクリーン側操作部１６）に対して映像の出力の終了を指示する操作がなされたか否かを判断し、そのような操作がなされていないと判断するとステップＳ４０へ処理を戻し、なされたと判断すると、映像生成部５２による映像の投射を終了させて、映像出力処理を終了させる。
【００７４】
以上説明した本実施の形態では、ステップＳ３０〜ステップＳ３２における処理が、ステップＳ２０において検出したプロジェクタ側素子５７とスクリーン側素子１７との電気的接続の有無に基づいて処理がなされたが、他にプロジェクタ５０がスクリーン本体１０に装着されているか否かを判断できる手段が設けられた場合には、これらの素子を省略することができる。他の手段としては、第１の実施の形態において説明したように、ＩＣタグなど非接触通信を利用したものでもよいし、機械的スイッチを利用したものでもよいし、または、光学的信号を利用したものでもよいし、また、内部バッテリ５５の充電に利用される部材を利用した手段でもよい。充電に利用される部材を利用する手段としては、具体的には、外部電源１００からプロジェクタ５０への電力の供給および／または外部電源から内部バッテリ５５への充電のための電力の供給に利用されるコネクタ５４Ａと、プロジェクタ５０がホルダ１２に装着されたときに当該コネクタ５４Ａと接続（接合）されるスクリーンユニット給電部１５側のコネクタとの接続状態を利用する手段である。つまり、ステップＳ２０において、コネクタ５４Ａとスクリーンユニット給電部１５側のコネクタとの接続状態が検出され、そして、ステップＳ３０〜ステップＳ３２では、接続されていれば、プロジェクタ側素子５７とスクリーン側素子１７が接続されていると判断された場合と同様の処理が実行され、接続されていなければ、プロジェクタ側素子５７とスクリーン側素子１７が接続されていないと判断された場合と同様の処理が実行される。
【００７５】
［第３の実施の形態］
本発明の画像表示装置の第３の実施の形態に係るプロジェクタシステムは、その外形および構成を、図１〜図３を参照して説明した第１の実施の形態のプロジェクタシステム１と同様のものとすることができるため、ここでは詳細な説明は繰返さない。
【００７６】
図１と図３に示されたように、プロジェクタシステム１では、プロジェクタ５０は、スクリーン１１の背面から映像を投射することもでき（図１参照）、また、スクリーン１１の前面から映像を投射することもできる（図３参照）。なお、プロジェクタ５０が、スクリーン１１の背面から映像を投射する場合と前面から映像を投射する場合において同じ映像を投射したのでは、スクリーン１１に投影された映像が、一方の場合に対し、他方の場合において、表裏反転して見える場合がある。
【００７７】
本実施の形態では、このような不具合を解消すべく、プロジェクタ側素子５７とスクリーン側素子１７との接続状態によって間接的にプロジェクタ５０がスクリーン本体１０の内部からスクリーン１１の背面に映像を投射しているのか、スクリーン本体１０の外でスクリーン１１の前面から映像を投射しているのかを間接的に判断し、その判断結果に基づいて、いずれか一方の場合には他方の場合に対して投射される映像が表裏反転するように調整される。以下、本実施の形態の動作制御部５１が実行する映像出力処理について、当該処理のフローチャートである図６を参照して説明する。
【００７８】
図６を参照して、動作制御部５１は、まずステップＳ１０で、プロジェクタ側操作部５６（またはスクリーン側操作部１６）に対して映像の出力を指示する操作がなされたか否かを判断し、当該操作がなされたと判断するとステップＳ２０へ処理を進める。
【００７９】
ステップＳ２０では、動作制御部５１は、プロジェクタ側素子５７とスクリーン側素子１７との接続状態をチェックして、ステップＳ３０へ処理を進める。
【００８０】
ステップＳ３０では、動作制御部５１は、直前で実行したステップＳ２０において検出した両素子の接続状態に基づいて、映像生成部５２が投射する光の強度を調整して、ステップＳ３３へ処理を進める。なお、動作制御部５１は、ステップＳ３０において、第１の実施の形態と同様に、プロジェクタ側素子５７とスクリーン側素子１７とが電気的に接続されていると判断すると、映像生成部５２が投射する光の強度を上記の高い方の強度とし、両素子が接続されていないと判断すると、映像生成部５２に投射させる光の強度を上記の低い方の強度とする。
【００８１】
ステップＳ３３では、動作制御部５１は、ステップＳ２０における両素子の接続状態に基づいて映像生成部５２に投射させる映像を表裏反転させるか否かを判断し、させると判断した場合にはそのように調整した後の映像を映像生成部５２に投射させて、ステップＳ４０へ処理を進める。
【００８２】
具体的には、動作制御部５１は、両素子が接続されていると判断すると映像の左右反転は行なわず、接続されていないと判断すると映像を左右反転させてもよいし、その逆に、両素子が接続されていると判断すると投射させる映像を左右反転させ、接続されていないと判断すると左右反転は行なわない。
【００８３】
ステップＳ４０では、動作制御部５１は、プロジェクタ側素子５７とスクリーン側素子１７の接続状態に変化があったか否かを判断し、変化があったと判断するとステップＳ２０へ処理を戻し、ないと判断するとステップＳ５０へ処理を進める。なお、本実施の形態においても、動作制御部５１は、バックグラウンドの処理として、常にプロジェクタ側素子５７とスクリーン側素子１７が接続しているか否かをチェックし、両素子の接続状態が切換わったと判断すると、ステップＳ４０からステップＳ２０へ処理を戻す。
【００８４】
以上説明した本実施の形態では、プロジェクタ５０が、スクリーン１１の背面から映像を投射する場合と前面から映像を投射する場合で同じ映像を投射したときに、スクリーン１１に投影された映像が、一方の場合に対し、他方の場合において、表裏反転して見える事態を想定して、ステップＳ３３では、当該投射される映像を、たとえば左右反転する処理がなされる。なお、プロジェクタ５０の設置等の態様によっては、上記したような、一方の場合に対し他方の場合において、上下反転して見える事態も想定される。このような場合には、ステップＳ３３では、プロジェクタ５０が投射する映像を上下反転する処理がなされる。ステップＳ３３において左右反転させるか上下反転させるかについての情報を、予めプロジェクタ側操作部５６またはスクリーン側操作部１６から入力された情報に基づいて記録部５３等に記録しておき、ステップＳ３３では、記録部５３に記録された情報を参照して、左右反転させるか上下反転させるかが決定され実行されてもよい。
【００８５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態で開示された技術内容は、可能な限り組合されて実施されることが意図される。
【図面の簡単な説明】
【００８６】
【図１】本発明の画像表示装置の第１の実施の形態であるプロジェクタシステムの側面断面図である。
【図２】図１のプロジェクタシステムの構成を示すブロック図である。
【図３】図１のプロジェクタシステムにおいてプロジェクタがスクリーン本体から取外された状態でスクリーンに対して映像を投射する状態を示す図である。
【図４】図１のプロジェクタの動作制御部が実行する映像出力処理のフローチャートである。
【図５】本発明の画像表示装置の第２の実施の形態であるプロジェクタシステムのプロジェクタの動作制御部が実行する映像出力処理のフローチャートである。
【図６】本発明の画像表示装置の第３の実施の形態であるプロジェクタシステムのプロジェクタの動作制御部が実行する映像出力処理のフローチャートである。
【符号の説明】
【００８７】
１  プロジェクタシステム、１０  スクリーン本体、１１  スクリーン、１１Ａ  第１ミラー、１１Ｂ  第２ミラー、１５  スクリーンユニット給電部、１６  スクリーン側操作部、１７  スクリーン側素子、５０  プロジェクタ、５１  動作制御部、５１Ａ，５４Ａ  コネクタ、５２  映像生成部、５３  記録部、５４  電源制御部、５５  内部バッテリ、５６  プロジェクタ側操作部、５７  プロジェクタ側素子、１００  外部電源。
【図１】
2009217132.tif 000003
【図２】
2009217132.tif 000004
【図３】
2009217132.tif 000005
【図４】
2009217132.tif 000006
【図５】
2009217132.tif 000007
【図６】
2009217132.tif 000008